(57)【特許請求の範囲】
【請求項１】
縦葺き屋根材の突条部を挟持部で挟持する第１ピース及び第２ピースと、
該第１ピース及び第２ピースを連結させる締付具と、
取付具を有しており、
前記第１ピースは、
締付具挿通孔が形成された側面と、
取付具挿通孔が形成された載置部を有しており、
前記第２ピースは、
締付具挿通孔が形成された側面と、
取付具挿通孔が形成された上面部を有しており、
該上面部に前記載置部が重ねられ、
取付具を取付具挿通孔に挿通して載置部上に突出させた
屋根上設置物の取付金具であって、
前記第１ピース及び第２ピースは、
載置部の下面側となる位置に、
載置部に略直角な向きの補強面を有しており、
第１ピースの補強面と第２ピースの補強面とは、
互いに略直角な向きに形成されており、
取付具が上面部方向に引き上げられたときに、
第２ピースの補強面の端縁が、
上に位置する第１ピースの補強面の端縁に下側から当接される
屋根上設置物の取付金具。
【請求項２】
第１ピースには、
載置部に孔が形成されており、
第２ピースには、
前記孔から載置部上に突出される箇所が形成されている
請求項１の屋根上設置物の取付金具。
【発明の詳細な説明】
【技術分野】
【０００１】
本願は、屋根上設置物を取り付けるための金具に関するものである。
【背景技術】
【０００２】
従来技術について、図９で説明する。
【０００３】
図９は、特開２０１４−３４７８３号公報にて公開されている取付金具に関する技術である。図９に示した先行技術は、ハゼ部の上方においてハゼ部と交差する方向に延びる締結ボルトにてハゼ部を挟持して締結固定される第１と第２の金具を備える。その上部に、取付ボルトが挿入される長穴をハゼ部と交差する方向に沿って有する天井部と、天井部から下方に延びる天井側壁とを備える。さらに、天井部の下面側に、長穴に挿入された取付ボルトの六角ボルトヘッドの回り止め部を有する。
【先行技術文献】
【特許文献】
【０００４】
【特許文献１】特開２０１４−３４７８３号公報
【発明の概要】
【発明が解決しようとする課題】
【０００５】
図９に示した先行技術は、設置物取り付け後、設置物にかかる風荷重は、取付ボルトによって天井部だけが受ける。そのため、天井部が変形しやすかった。その結果、設置物の取り付け状態が不安定になりやすく、設置物が飛散する恐れがあった。また、天井部に形成されているのが長穴であるために、天井部自体の強度が構造的に低く、取付ボルトが抜けやすかった。したがって、天井部を極めて高強度にする必要があった。しかし、そのためには、天井部の板厚を厚くするほかなく、材料・加工コストの上昇が不可避であった。
【０００６】
また、図９に示した先行技術は、天井部の長穴に取付ボルトが組み合わせられている。そのため、取付ボルトの位置決めがしにくく、不安定な状態になりやすかった。そのため、設置物の適正な取付位置を想定した上で、不安定な状態の取付ボルトによって取り付け作業を行う必要があり、手間がかかっていた。さらに、設置物が太陽光発電パネルである場合、太陽光発電パネル同士のアースを確保するための配線を別途行う必要があった。
【０００７】
本願は、部材の厚さを増加させることなく、金具の強度を高め、風等による荷重に強い屋根上設置物の取付金具を提供することを目的とする。また、屋根上に取り付けやすい屋根上設置物の取付金具を提供することを目的とする。
【課題を解決するための手段】
【０００８】
本願は、縦葺き屋根材の突条部を挟持部で挟持する第１ピース及び第２ピースと、第１ピース及び第２ピースを連結させる締付具と、取付具を有する屋根上設置物の取付金具である。第１ピースは、締付具挿通孔が形成された側面と、取付具挿通孔が形成された載置部を有する。第２ピースは、締付具挿通孔が形成された側面と、取付具挿通孔が形成された上面部を有する。上面部に載置部が重ねられ、取付具を取付具挿通孔に挿通して載置部上に突出させている。第１ピース及び第２ピースは、載置部の下面側となる位置に載置部に略直角な向きの補強面を有している。第１ピースの補強面と第２ピースの補強面とは、互いに略直角な向きに形成されている。取付具が上面部方向に引き上げられたときに、第２ピースの補強面の端縁が、第１ピースの補強面の端縁に当接される。
【０００９】
また、本願は、上記の構成に加え、第１ピースには、載置部に孔が形成されており、第２ピースには、孔から載置部上に突出される箇所が形成されている。
【発明の効果】
【００１０】
本願の屋根上設置物の取付金具は、取付具が上面部方向に引き上げられたときに、第２ピースの補強面の端縁が、第１ピースの補強面の端縁に当接される。この当接により、上面部及び載置部の変形を防ぐ。また、端縁同士が当接されて風等による荷重を受けるので、載置部や上面部が板厚方向だけで荷重を受ける場合に比べて格段に強度が高い。
【００１１】
また、第１ピースには載置部に孔が形成されており、第２ピースには孔に挿通されて載置部上に突出される箇所が形成されている。そのため、第１ピースと第２ピースを組み合わせたときに、がたつきが少なく、施工現場で扱いやすい。また、その載置部上に突出された箇所を屋根上設置物の取付位置決め部や、取り付けられる太陽光発電パネル間をアース接続させるための導通突起として利用することも可能である。
【図面の簡単な説明】
【００１２】
【図１】本願の屋根上設置物の取付金具の実施例を示す説明図である。
【図２】本願の屋根上設置物の取付金具の実施例を示す説明図である。
【図３】本願の屋根上設置物の取付金具の実施例を示す説明図である。
【図４】本願の屋根上設置物の取付金具における第１ピースの実施例を示す説明図である。
【図５】本願の屋根上設置物の取付金具における第２ピースの実施例を示す説明図である。
【図６】本願の屋根上設置物の取付金具を屋根上に取り付けた実施例を示す説明図である。
【図７】本願の屋根上設置物の取付金具によって屋根上設置物を取り付けた実施例を示す説明図である。
【図８】本願の屋根上設置物の取付金具によって屋根上設置物を取り付けた実施例を示す説明図である。
【図９】従来技術の説明図である。
【実施例】
【００１３】
本願の屋根上設置物の取付金具について、図１から図８までにより説明する。図１及び図２は、本願の屋根上設置物の取付金具の一例である。図３は、図１及び図２に示した実施例の分解斜視図である。図４は、図１から図３までに示した実施例における第１ピースの一例である。図５は、図１から図３までに示した実施例における第２ピースの一例である。図６は、図１等に示した実施例の取付金具を屋根上に取り付けた状態を示した図である。図７及び図８は、図１等に示した実施例によって屋根上設置物を取り付けた図である。
【００１４】
本願において、屋根上設置物とは、太陽光発電パネル等を指す。また、本願において、縦葺き屋根材とは、突条部を有するハゼ折板や瓦棒葺きなどである。
【００１５】
まず、請求項１に示した本願の屋根上設置物の取付金具について説明する。本実施例では、取付金具Ａは折り曲げ加工により形成されている。本実施例では、対になる第１ピース１と第２ピース２が組み合わされて構成されている。
【００１６】
第１ピース１と第２ピース２は、締付具３によって連結される。締付具３とは、ボルト３１・ナット３２などを指す。なお、締付具３は、第１ピース１と第２ピース２に対して、縦葺き屋根材Ｙの突条部Ｙ１を挟持するような力を加えることができれば、ボルト３１・ナット３２に準じるようなものであってもよい。
【００１７】
第１ピース１及び第２ピース２は、締付具３が挿通される締付具挿通孔１１１・２１１を形成した側面１１・２１を有する。なお、縦葺き屋根材Ｙの突条部Ｙ１を第１ピース１及び第２ピース２によって挟持するときに、締付具３を締め付けやすいように、第１ピース１及び第２ピース２の側面１１・２１同士が対面され、締付具挿通孔１１１・２１１の位置が同じ高さになるように形成されていることが望ましい。
【００１８】
第１ピース１及び第２ピース２の側面１１・２１の両側端縁を折り曲げた部分や下端縁によって、縦葺き屋根材Ｙの突条部Ｙ１に当接される挟持部１４・２４が形成されている。第１ピース１及び第２ピース２の側面１１・２１の両側端縁を折り曲げた部分を挟持部１４・２４とする場合、縦葺き屋根材Ｙの突条部Ｙ１に合わせた形状に両側端縁を折り曲げた部分が切り欠かれている。第１ピース１及び第２ピース２の側面１１・２１の下端縁を挟持部１４・２４とする場合、縦葺き屋根材Ｙの突条部Ｙ１に面で当接されるような形状にすることによって、本願の屋根上設置物の取付金具Ａを安定した状態に取り付けることができる。
【００１９】
上記のように、第１ピース１及び第２ピース２の側面１１・２１の端縁が折り曲げられていることによって、側面１１・２１の変形を防止することができる。たとえば、載置部１２に荷重がかかった場合、側面１１・２１を変形させるような力が加わる。このとき、側面１１・２１は、この折り曲げられている部分によって補強・支持されている状態なので、変形しにくくなる。
【００２０】
第１ピース１及び第２ピース２の下端縁を折り曲げて、屋根面当接部１５・２５を形成してもよい。屋根面当接部１５・２５が形成されることによって、本願の屋根上設置物の取付金具を、より安定した状態で屋根上に取り付けることができる。
【００２１】
次に、本願の第１ピース１の実施例について説明する。本実施例の第１ピース１は、取付具４が挿通される取付具挿通孔１２１が形成された載置部１２を有している。本実施例では、側面１１から略直角に折り曲げられて、載置部１２が形成されている。本実施例では、載置部１２の裏面に、側面１１の両側端が折り曲げられて形成された補強面１３・１３の上端が位置する形状になっている。この形状により、載置部１２が受ける荷重を補強面１３・１３の上端でも支えるので、強度が高い。また、載置部１２が側面１１の幅よりも広く形成でき、屋根上設置物をより安定した状態に取り付けることができる。
【００２２】
本実施例の第１ピース１は、載置部１２の折曲辺に対向する端縁や、載置部１２が側面１１の幅より外側に延出されている部分が、鈍角に折り下げられ、折下面１２２・１２２が形成されている。この折下面１２２・１２２によって、載置部１２の変形を防止することができる。また、この折下面１２２・１２２を形成する際、載置部１２上に突起するような切り込みを入れ、導通突起１２２ａを形成してもよい。この導通突起１２２ａを形成することで、屋根上設置物Ｓのひとつである太陽光発電パネルＳ´を設置する際、太陽光発電パネルＳ´・Ｓ´間においてアース線による接続をすることなく、導通させることができる。
【００２３】
次に、本願の第２ピースの実施例について説明する。本実施例の第２ピース２は、取付具４が挿通される取付具挿通孔２２１が形成された上面部２２を有している。本実施例では、側面２１から略直角に折り曲げられて、上面部２２が形成されている。さらに、上面部２２の端部が折り下げられ、補強面２３が形成されている。この補強面２３により、上面部２２の変形が防止される。また、取付具４として六角ボルトを用いる場合、補強面２３と側面２１の間隔をボルト頭部の二面幅に合わせることが望ましい。そうすることで、六角ボルトの回り止めになり、屋根上設置物Ｓが取り付けやすくなる。
【００２４】
本実施例の第２ピース２は、側面２１の上面部２２近傍に孔があいている。その孔に止め具Ｔを挿入することで、取付具４の落下を防止することができる。本実施例の第２ピース２は、上面部２２の取付具挿通孔２２１に取付具４が挿入された後、側面２１の孔に止め具Ｔが挿入されている。このようにすることで、取付具４と第２ピース２が一部材化され、取り扱いやすい状態にできる。
【００２５】
本実施例の第２ピース２は、第１ピース１と組み合わせられたときに、第１ピース１の折下面１２２上に位置する載置部当接部２６を形成してもよい。この載置部当接部２６により、第１ピース１の側面１１側に載置部１２が起き上がるような変形を防ぐことができる。また、締付具３が締め付けられたときに、この載置部当接部２６が載置部１２に当接される。その結果、締付具３によって締め付けられる力が、挟持部２４に効率的に伝えられる。さらに、載置部当接部２６によって、第２ピース２自体の変形も防ぐことができる。
【００２６】
本実施例の第１ピース１及び第２ピース２は、上記のとおり、載置部１２の下面側となる位置に、載置部１２に略直角な向きの補強面１３・２３を有している。さらに、第１ピース１の補強面１３と第２ピース２の補強面２３とは、互いに略直角な向きに形成されている。すなわち、本実施例では、第１ピース１の補強面１３は側面１１に略直角な向きに形成されており、第２ピース２の補強面２３は側面２１に対面する（平行な）向きに形成されている。
【００２７】
そして、取付具４が上面部２２方向に引き上げられたときに、第２ピース２の補強面２３の端縁２３１は、第１ピース１の補強面１３の端縁１３１に当接される位置になっている。そのため、屋根上設置物Ｓが取り付けられた後、風等による荷重を受けたときに、載置部１２と上面部２２、それに加えて補強面１３・２３同士の当接でも支える構造になっている。そのため、従来技術のように載置部１２と上面部２２の板厚のみで風等により荷重を受ける構造に比べて、本実施例は強度が高い。
【００２８】
次に、請求項２に示した本願の屋根上設置物の取付金具について説明する。請求項２に示した本願の屋根上設置物の取付金具は、第１ピース１には、載置部１２に孔１２３が形成されている。一方、第２ピース２には、孔１２３に挿通されて載置部１２上に突出される箇所が形成されている。このような構成にすることによって、その箇所と孔１２３が第２ピース２を第１ピース１に組み合わせるためのガイドとしての役割を果たし、それらを組み合わせやすくできる。さらに、第１ピース１と第２ピース２とを組み合わせたとき、それらのがたつきを防ぐこともできる。
【００２９】
本実施例において、孔１２３から載置部１２上に突出される箇所は、様々な用途に利用することができる。たとえば、その部分は、屋根上設置物Ｓの取付位置決め部２７とすることができる。屋根上設置物Ｓの取り付けに際して、屋根上設置物Ｓの端部を取付位置決め部２７に当接させるだけで、適切な位置に容易に取り付けることができる。また、本実施例において、取付位置決め部２７は、略三角形状に形成されている。この形状にすることによって、載置部１２の孔１２３に挿通させやすいので、第２ピース２が第１ピース１に組み合わせやすくなる。
【００３０】
このほか、孔１２３から載置部１２上に突出される箇所を、鋭利にし、導通突起としてもよい。この導通突起を形成することで、太陽光発電パネルＳ´を設置する際、太陽光発電パネルＳ´・Ｓ´間においてアース線を接続することなく、導通させることができる。
【００３１】
なお、孔１２３から載置部１２上に突出される箇所は、補強面２３等の一部であってもよい。たとえば、補強面２３の端縁２３１のうち、第１ピース１の補強面１３に当接しない部分に、上記の導通突起を形成させてもよい。
【００３２】
上記のとおり、載置部１２の孔１２３の位置・大きさ・形状等は問わない。同様に、孔１２３から載置部１２上に突出される箇所の位置・大きさ・形状等は問わない。さらに、孔１２３から載置部１２上に突出される箇所の用途も限定されない。
【００３３】
次に、本願の屋根上設置物の取付金具によって、縦葺き屋根材Ｙのひとつであるハゼ折板上に屋根上設置物Ｓである太陽光発電パネルＳ´を取り付ける方法について説明する。
【００３４】
ハゼ折板の突条部であるハゼ部Ｙ１を左右から挟持するように、第１ピース１と第２ピース２を配置する。第１ピース１と第２ピース２の締付具挿通孔１１１・２１１に挿通された締付具３を締め付けることで、本願の屋根上設置物の取付金具がハゼ折板上に取り付けられる。このような手順を繰り返し、ハゼ折板上に複数の取付金具Ａを所定の位置に取り付けていく。
【００３５】
次に、複数の取付金具Ａの載置部１２上に、太陽光発電パネルＳ´を載置する。そして、載置部１２上に突出された取付具４によって、太陽光発電パネルＳ´が取り付けられる。本実施例においては、取付具４は、ボルト４１、ナット４２、断面略ハット形状の押え金具４３等で構成されている。なお、取付具４は、屋根上設置物Ｓを載置部１２上に固定できるものであればよく、いかなるものの組合せであってもよい。
【００３６】
上記のとおり、本願は、金具の強度を高め、風等による荷重に強い構造を具備する屋根上設置物の取付金具である。その実現のために、部材の厚さ・数等を増加させたり、金具の大型化をさせることを必要としない。その結果、屋根上設置物の取付金具の製作コスト低減を実現している。
【符号の説明】
【００３７】
Ａ        取付金具
１        第１ピース
１１      側面
１１１    締付具挿通孔
１２      載置部
１２１    取付具挿通孔
１２２    折下面
１２２ａ  導通突起
１２３    孔
１３      補強面
１３１    端縁
１４      挟持部
１５      屋根面当接部
２        第２ピース
２１      側面
２１１    締付具挿通孔
２２      上面部
２２１    取付具挿通孔
２３      補強面
２３１    端縁
２４      挟持部
２５      屋根面当接部
２６      載置部当接部
２７      取付位置決め部
３        締付具
３１      ボルト
３２      ナット
４        取付具
４１      ボルト
４２      ナット
４３      押え金具
Ｔ        止め具
Ｙ        縦葺き屋根材
Ｙ１      突条部（ハゼ部）
Ｓ        屋根上設置物
Ｓ´      太陽光発電パネル
【図１】
0006287745.tif 000002
【図２】
0006287745.tif 000003
【図３】
0006287745.tif 000004
【図４】
0006287745.tif 000005
【図５】
0006287745.tif 000006
【図６】
0006287745.tif 000007
【図７】
0006287745.tif 000008
【図８】
0006287745.tif 000009
【図９】
0006287745.tif 000010